(57)【要約】【課題】装飾造形（建築構造）を構築する時、比較的高い設計の自由度を有することができる。装飾造形（建築構造）の組み合わせを完成した時でも、曲面の一部を微調整し、人為的な誤差を矯正することができる構造部材を提供する。【解決手段】第一接続ユニット、前記第一接続ユニットに接続された少なくとも一つ短ロッド、第二接続ユニット、前記第二接続ユニットに接続された少なくとも一つ長ロッド、および前記第一接続ユニットと前記第二接続ユニットに接続されたメインロッドを含む構造部材。【選択図】図２ａ
2008275149.tif 000002
【特許請求の範囲】
【請求項１】
第一接続ユニットと、第二接続ユニットと、メインロッドを含む構造部材であって、
前記第一接続ユニットに、少なくとも一つ短ロッドが接続され、
前記第二接続ユニットに、少なくとも一つ長ロッドが接続され、
前記メインロッドに、前記第一接続ユニットと前記第二接続ユニットが接続されてなる構造部材。
【請求項２】
前記第一接続ユニットと前記第二接続ユニットが、前記メインロッドにスライド可能に設置され、前記第一接続ユニットと前記第二接続ユニット間の相対距離を調整することができる請求項１記載の構造部材。
【請求項３】
前記メインロッドが、スタッドボルトである請求項２記載の構造部材。
【請求項４】
前記短ロッドの数量が、三つである請求項１記載の構造部材。
【請求項５】
前記短ロッドの数量が、四つである請求項１記載の構造部材。
【請求項６】
前記長ロッドの数量が、三つである請求項１記載の構造部材。
【請求項７】
前記長ロッドの数量が、四つである請求項１記載の構造部材。
【請求項８】
第一接続ユニットと、第二接続ユニットと、メインロッドを含む構造部材であって、
前記第二接続ユニットに、少なくとも一つのリンケージが接続され、
前記メインロッドに、前記第一接続ユニットと前記第二接続ユニットが接続されてなる構造部材。
【請求項９】
前記リンケージが、前記第二接続ユニットにピボット接続されてなる請求項８記載の構造部材。
【請求項１０】
前記リンケージが、回転することにより、前記リンケージと前記メインロッド間の夾角を調整できる請求項９記載の構造部材。
【請求項１１】
前記リンケージが、前記第二ユニットにスライド可能に接続されてなる請求項８記載の構造部材。
【請求項１２】
前記リンケージが、第一セクションと第二セクションを含み、
前記第一セクションと前記第二セクションが、相対して移動することで、前記リンケージの長さが調整されてなる請求項８記載の構造部材。
【請求項１３】
前記リンケージの数量が、三つである請求項８記載の構造部材。
【請求項１４】
前記リンケージの数量が、四つである請求項８記載の構造部材。
【請求項１５】
第一構造部材と、第二構造部材を含む建築構造であって、
前記第一構造部材が、少なくとも一つの第一短ロッドが接続された第一接続ユニットと、少なくとも一つの第一長ロッドが接続された第二接続ユニットと、前記第一接続ユニットと前記第二接続ユニットに接続された第一メインロッドを含み、
前記第二構造部材が、少なくとも一つの第二短ロッドが接続された第三接続ユニットと、少なくとも一つの第二長ロッドが接続された第四接続ユニットと、前記第三接続ユニットと前記第四接続ユニットに接続された第二メインロッドを含む建築構造。
【請求項１６】
第一構造部材と、第二構造部材を含む建築構造であって、
前記第一構造部材が、第一接続ユニットと、少なくとも一つの第一リンケージが接続された第二接続ユニットと、前記第一接続ユニットと前記第二接続ユニットに接続された第一メインロッドを含み、
前記第二構造部材が、第三接続ユニットと、少なくとも一つの第二リンケージが接続された第四接続ユニットと、第二メインロッドを含み、
前記第二メインロッドが、前記第三接続ユニットと前記第四接続ユニットに接続され、前記第一リンケージが前記第二接続ユニットと前記第三接続ユニットに接続され、前記第二リンケージが前記第四接続ユニットと前記第一接続ユニットに接続されてなる建築構造。
【請求項１７】
第一接続ユニットと、第二接続ユニットとからなる構造部材であって、
前記第二接続ユニットが、前記第一接続ユニットに接続され、少なくとも一つのリンケージが接続されてなる構造部材。
【請求項１８】
前記リンケージが、前記第二接続ユニットにピボット接続されてなる請求項１７記載の構造部材。
【請求項１９】
前記リンケージが、回転することによって、前記リンケージと前記第二接続ユニット間の夾角を調整できる請求項１８記載の構造部材。
【請求項２０】
前記リンケージが、前記第二接続ユニットにスライド可能に接続されてなる請求項１７記載の構造部材。
【請求項２１】
前記リンケージが、第一セクションと第二セクションを含み、
前記第一セクションと第二セクションが、相対して移動することで、前記リンケージの長さが調整されてなる請求項１７記載の構造部材。
【請求項２２】
前記リンケージの数量が、三つである請求項１７記載の構造部材。
【請求項２３】
前記リンケージの数量が、四つである請求項１７記載の構造部材。
【発明の詳細な説明】
【技術分野】
【０００１】
本発明は、建築部材に関し、特に、装飾造形を便利に組み合わせることのできる建築部材に関するものである。
【背景技術】
【０００２】
特許文献１は、伝統的な構造、もしくは知能模型玩具の建築部材を掲示している。その建築部材によれば、曲げることのできる接続ユニットとロッドにより、各種の装飾造形の模型に合わせて構築する。
【０００３】
しかしながら、特許文献１によれば、使用者がロッドの長さを調整することができない。曲面の造形を形成できず、さらに接続ユニットは、弾性疲労、あるいは変質などの問題を発生し易い。
【０００４】
【特許文献１】台湾特許第Ｍ２８４４２６号公報
【発明の開示】
【発明が解決しようとする課題】
【０００５】
本発明は、上記従来技術の問題を解決するためになされたものであり、装飾造形（建築構造）を構築する時、比較的高い設計の自由度を有することができる。装飾造形（建築構造）の組み合わせを完成した時でも、曲面の一部を微調整し、人為的な誤差を矯正することができる構造部材を提供することを目的とする。
【課題を解決するための手段】
【０００６】
以下、添付図を参照しながら明細書中に詳細に説明する。
本発明の構造部材は、第一接続ユニット、第二接続ユニット、複数のリンケージとメインロッドを含む。前記リンケージは、前記第二接続ユニットに接続される。メインロッドは、前記第一接続ユニットと前記第二接続ユニットに接続される。
【発明の効果】
【０００７】
本発明の建築部材を応用すれば、装飾造形（建築構造）を構築する時、比較的高い設計の自由度を有することができる。装飾造形（建築構造）の組み合わせを完成した時でも、曲面の一部を微調整し、人為的な誤差を矯正することができる。各部材をボルトで接合しているため、何度回転をしても弾性疲労の問題をもたらすことはない。
【発明を実施するための最良の形態】
【０００８】
本発明についての目的、特徴、長所が一層明確に理解されるよう、以下に実施形態を例示し、図面を参照しながら、詳細に説明する。
【０００９】
本明細書により、本発明を実施するための最良の形態について述べる。本明細書は、発明の一般的な原理について述べられており、なんら限定するものではない。発明の範囲は、特許請求の範囲により最適に定められている。
【００１０】
実施例１
図１は、本発明の実施例１の構造部材１００を表している。構造部材１００は、第一接続ユニット１１０、短ロッド１１１、第二接続ユニット１２０、長ロッド１２１とメインロッド１３０を含む。短ロッド１１１は、前記第一接続ユニット１１０に接続されている。長ロッド１２１は、前記第二接続ユニット１２０に接続されている。メインロッド１３０は、前記第一接続ユニット１１０と前記第二接続ユニット１２０に接続されている。
【００１１】
短ロッド１１１は、スライド可能な方式で前記第一接続ユニット１１０に接続されており、各短ロッド１１１の一端は、第一接続部１１２を有し、前記第一接続部１１２は、開孔を有する。長ロッド１２１は、スライド可能な方式で前記第二接続ユニット１２０を接続されており、各長ロッド１２１の一端は、第二接続部１２２を有し、前記第二接続部１２２は開孔を有する。前記構造部材１００は、前記第一接続部１１２と前記第二接続部１２２をピボット接続の方式でその他の構造部材と相互に結合され、装飾造形（建築構造）を組み立てる。
【００１２】
前記メインロッド１３０は、スタッドボルトであり、前記第一接続ユニット１１０と前記第二接続ユニット１２０は、前記メインロッド１３０上でスライド（回転）することができ、それによって、前記第一接続ユニット１１０と前記第二接続ユニット１２０間の相対距離を調整する。各構造部材の短ロッドと長ロッドの数量は、三つ、四つ、あるいはその他の個数とすることができる。
【００１３】
本発明の実施例１を応用して、組み立てた建築構造（装飾造形）は、第一構造部材と第二構造部材を含む。第一構造部材は、第一接続ユニット、少なくとも一つの第一短ロッド、第二接続ユニット、少なくとも一つの第一長ロッドと第一メインロッドを含む。第一短ロッドは、前記第一接続ユニットに接続される。第一長ロッドは、前記第二接続ユニットに接続される。第一メインロッドは、前記第一接続ユニットと前記第二接続ユニットに接続される。第二構造部材は、第三接続ユニット、少なくとも一つの第二短ロッド、第四接続ユニット、少なくとも一つの第二長ロッドと第二メインロッドを含む。第二短ロッドは、前記第三接続ユニットに接続される。第二長ロッドは、前記第四接続ユニットに接続される。第二メインロッドは、前記第三接続ユニットと前記第四接続ユニットに接続される。前記第一短ロッドは、前記第二長ロッドに接続（ピボット接続）され、前記第一長ロッドは、前記第二短ロッドに接続（ピボット接続）される。
【００１４】
実施例２
図２ａは、本発明の実施例２の構造部材２００を表している。構造部材２００は、第一接続ユニット２１０、第二接続ユニット２２０、リンケージ２３０とメインロッド２４０を含む。リンケージ２３０は、前記第二接続ユニット２２０に接続される。メインロッド２４０は、前記第一接続ユニット２１０と前記第二接続ユニット２２０に接続される。
【００１５】
第一接続ユニット２１０は、溝２１１を有し、第二接続ユニット２２０は、溝２２１を有する。各リンケージ２３０の端部は、ボルト２３１１を介して、第二接続ユニット２２０の溝２２１にピボット接続する。前記リンケージ２３０を回転することによって、前記リンケージ２３０と前記メインロッド２４０間の夾角θを調整することができる。同時に、ボルト２３１１の接続箇所の変更により、各リンケージ２３０は、前記溝２２１でＺ軸方向に沿ってスライドすることができる。
【００１６】
上述の実施例２では、各構造部材２００のリンケージ２３０の数量は、三つ、四つ（図２ｂを参照）、あるいはその他の個数とすることができる。
【００１７】
図３ａは、本発明の実施例２を応用して、組み立てた建築構造（装飾造形）であり、第一構造部材２００と第二構造部材２００’を含む。第一構造部材２００は、第一接続ユニット２１０、第二接続ユニット２２０、第一リンケージ２３０と第一メインロッド２４０を含む。第一リンケージ２３０は、前記第二接続ユニット２２０に接続される。第一メインロッド２４０は、前記第一接続ユニット２１０と前記第二接続ユニット２２０に接続される。第二構造部材２００’は、第三接続ユニット２１０’、第四接続ユニット２２０’、第二リンケージ２３０’と第二メインロッド２４０’を含む。第二リンケージ２３０’は、前記第四接続ユニット２２０’に接続される。第二メインロッド２４０’は、前記第三接続ユニット２１０’と第四接続ユニット２２０’に接続される。前記第一リンケージ２３０の一つは、前記第二接続ユニット２２０と前記第三接続ユニット２１０’に接続される。前記第二リンケージ２３０’の一つは、前記第四接続ユニット２２０’と前記第一接続ユニット２１０に接続される。図３ｂに示されるように、複数の構造部材２００によって、曲面形状の建築構造（装飾造形）３１０を構成する。
【００１８】
実施例３
図４ａと図４ｂは、実施例２の改良を示し、構造部材のリンケージ２３０の数量が四つの時、複数の構造部材２００によって、曲面形状の建築構造（装飾造形）３２０を構成する。
【００１９】
実施例４
図５は、本発明の実施例３の建築部材４１０を表わしており、メインロッド２４０は、省略され、前記第一接続ユニット２１０は、前記第二接続ユニット２２０に直接接続される。
【００２０】
図６は、本発明の実施例４の建築部材４２０を表わしており、前記リンケージ２３０は、第一セクション２３１、第二セクション２３２と、本体２３３を含む。前記本体２３３は、溝２３４を有する。前記第一セクション２３１と前記第二セクション２３２は、ボルト２３５を介して、前記本体２３３の前記溝２３４に固定される。ボルト２３５の固定位置を調整することによって、前記第一セクション２３１と前記第二セクション２３２は、相対して移動し、前記リンケージ２３０の長さを調整する。
【００２１】
本発明の建築部材を応用すれば、装飾造形（建築構造）を構築する時、比較的高い設計の自由度を有することができる。装飾造形（建築構造）の組み立てを完成した後、曲面の一部を微調整し、人為的な誤差を矯正することができる。さらに、前記リンケージやロッドは、ボルトで接合している。それにより、何度回転をしても弾性疲労の問題をもたらすことはない。
【００２２】
以上、本発明の好適な実施例を例示したが、これは本発明を限定するものではなく、本発明の精神および範囲を逸脱しない限りにおいては、（当業者であれば行い得る）変更や修飾を付加することが可能である。従って、本発明が保護を請求する範囲は、特許請求の範囲を基準とする。
【図面の簡単な説明】
【００２３】
【図１】本発明の実施例１の構造部材を表す斜視図である。
【図２ａ】本発明の実施例２の構造部材を表す斜視図である。
【図２ｂ】本発明の実施例２の変形例を表す斜視図である。
【図３ａ】本発明の実施例２を応用して、組み立てた建築構造を表す斜視図である。
【図３ｂ】本発明の実施例２を応用して、組み立てた建築構造の曲面を表す斜視図である。
【図４ａ】本発明の実施例２の変形例を応用して、組み立てた建築構造を表す斜視図である。
【図４ｂ】本発明の実施例２の変形例を応用して、組み立てた建築構造の曲面を表す斜視図である。
【図５】本発明の実施例３を表す斜視図である。
【図６】本発明の実施例４を表す斜視図である。
【符号の説明】
【００２４】
１００  構造部材
１１０  第一接続ユニット
１１１  短ロッド
１１２  第一接続部
１２０  第二接続ユニット
１２１  長ロッド
１２２  第二接続部
１３０  メインロッド
２００、２００’  構造部材
２１０  第一接続ユニット
２１０’  第三接続ユニット
２１１  溝
２２０  第二接続ユニット
２２０’  第四接続ユニット
２２１  溝
２３０  リンケージ
２３１  第一セクション
２３１１  端部
２３２  第二セクション
２３３  本体
２３４  溝
２３５  ボルト
２４０  （第一）メインロッド
２４０’  第二メインロッド
３１０、３２０  建築構造
４１０、４２０  建築部材
【図１】
2008275149.tif 000003
【図２ａ】
2008275149.tif 000004
【図２ｂ】
2008275149.tif 000005
【図３ａ】
2008275149.tif 000006
【図３ｂ】
2008275149.tif 000007
【図４ａ】
2008275149.tif 000008
【図４ｂ】
2008275149.tif 000009
【図５】
2008275149.tif 000010
【図６】
2008275149.tif 000011